(57)【特許請求の範囲】
【請求項１】
ユーザーによって操作されるキーを有する操作部ユニットと、該操作部ユニットが取り付けられる本体と、前記操作部ユニットを覆うように前記本体に装着される外装カバーと、を備えた操作部ユニットの取付構造であって、
前記操作部ユニットには、前記キーを装着可能な操作部フレームが設けられ、該操作部フレームには嵌合突起が設けられ、
前記外装カバーには、前記キーを遊挿可能なカバー側キー穴が設けられると共に、前記カバー側キー穴の周囲且つ前記嵌合突起と対応する位置に突起が設けられ、
前記カバー側キー穴は、円形状又は矩形状を成し、
前記突起は、前記カバー側キー穴の形状に対応して円環状又は方形枠状を成すと共に円環状のものと方形枠状のものを含むように複数個設けられ、
円環状の前記突起と嵌合する前記嵌合突起は、円環状を成し、
方形枠状の前記突起と嵌合する前記嵌合突起は、一対の直線状を成し、
前記操作部ユニットは、前記外装カバーの前記本体への装着方向と交差する方向にスライド可能な状態で前記本体に取り付けられ、前記操作部ユニットが前記本体に取り付けられた状態で前記外装カバーを前記本体に装着すると、前記嵌合突起と前記突起が嵌合して、前記操作部ユニットのスライドが規制され、該操作部ユニットが固定されることを特徴とする操作部ユニットの取付構造。
【請求項２】
前記キーは、前記操作部ユニットに複数個並設され、該複数個のキーのうちの両端のキーの周りに、前記嵌合突起が設けられていることを特徴とする請求項１に記載の操作部ユニットの取付構造。
【請求項３】
前記操作部ユニットには、前記キーを遊挿可能な操作部側キー穴が設けられ、
前記カバー側キー穴に遊挿された前記キーの周囲の隙間よりも前記操作部側キー穴に遊挿された前記キーの周囲の隙間が広くなるように形成されていることを特徴とする請求項１又は２に記載の操作部ユニットの取付構造。
【請求項４】
前記操作部ユニットは、前記本体に収納される電装部品と電線を介して接続され、該電線は、前記外装カバーによって覆われる位置に設けられていることを特徴とする請求項１〜３のいずれか１項に記載の操作部ユニットの取付構造。
【請求項５】
請求項１〜４のいずれか１項に記載の操作部ユニットの取付構造を備えていることを特徴とする画像形成装置。
【発明の詳細な説明】
【技術分野】
【０００１】
本発明は、キーを有する操作部ユニットを本体に取り付けるための取付構造及びこの取付構造を備えた画像形成装置に関する。
【背景技術】
【０００２】
従来、例えば画像形成装置等の電子機器には、キーを有する操作部ユニットが本体に取り付けられており、上記したキーをユーザーが操作することで、電子機器の各種機能が実現されるようになっている。
【０００３】
また、上記した操作部ユニットは、通常、キーと対応する位置にキー穴が設けられた外装カバーによって覆われており、上記したキー穴を介して、操作部ユニットのうちのキーのみが外部に露出するようになっている（特許文献１の「外装パネル１０」と「押しボタン部材２０」参照）。
【０００４】
このような電子機器の組立てに関しては、操作部ユニットを本体に取り付けてから外装カバーを本体に装着する構造（以下、「第１の構造」と称する。）と、操作部ユニットを外装カバーに取り付けてから外装カバーを本体に装着する構造（以下、「第２の構造」と称する。）が知られている。
【先行技術文献】
【特許文献】
【０００５】
【特許文献１】特開２００５−２１７３２７号公報
【発明の概要】
【発明が解決しようとする課題】
【０００６】
前記第１の構造を採用した場合、操作部ユニットと外装カバーが本体を介して間接的に接続されることになり、外装カバーに対するキーの位置精度を出しにくくなる。そのため、キー穴の周囲の外装カバーとキーとの間隔を大きめに設定しておく必要が生じ、これに伴って、キーにがたつきが生じて操作感覚の劣化を招いていた。
【０００７】
これに対して、前記第２の構造を採用すれば、操作部ユニットが外装カバーに直接取り付けられるため、外装カバーに対するキーの位置精度を出しやすくなる。しかしながら、第２の構造では、操作部ユニットと本体側の電装部品の結線等の配線処理は、組立ての都合上、操作部ユニットを取り付けた外装カバーを本体に装着した後に行われることになる。そのため、配線箇所が外装カバーによって覆われてしまうような場合には、配線処理が極めて困難になっていた。
【０００８】
そこで、本発明は上記事情を考慮し、キーのがたつきを抑制して操作感覚を向上させることが可能で、且つ、配線処理が容易で組み立て易い操作部ユニットの取付構造を提供することを目的とする。
【課題を解決するための手段】
【０００９】
本発明に係る操作部ユニットの取付構造は、ユーザーによって操作されるキーを有する操作部ユニットと、該操作部ユニットが取り付けられる本体と、前記操作部ユニットを覆うように前記本体に装着される外装カバーと、を備えた操作部ユニットの取付構造であって、前記操作部ユニットは、前記外装カバーの前記本体への装着方向と交差する方向にスライド可能な状態で前記本体に取り付けられ、前記操作部ユニットが前記本体に取り付けられた状態で前記外装カバーを前記本体に装着すると、前記操作部ユニットのスライドが規制され、該操作部ユニットが固定されることを特徴とする。
【００１０】
このように、操作部ユニットを本体に取り付けてから外装カバーを本体に装着することで、操作部ユニットと本体側の電装部品の結線等の配線処理を行ってから外装カバーを本体に装着するような組付け手順を採用することが可能となる。そのため、上記の配線処理が外装カバーによって阻害されるのを防止することが可能となり、配線処理及び組立ての容易化を図ることが可能となる。
【００１１】
また、外装カバーを本体に装着する際に、操作部ユニットが外装カバーに対して直接的に位置決めされるため、外装カバーに対する操作部ユニットの位置精度を向上させることが可能となる。これに伴って、キーのがたつきを抑制して操作感覚の向上を図ることが可能となる。
【００１２】
本発明に係る操作部ユニットの取付構造は、前記操作部ユニットには、前記キーを装着可能な操作部フレームが設けられ、該操作部フレームには操作部側係合部が設けられ、前記外装カバーには、前記操作部側係合部と対応する位置にカバー側係合部が設けられ、前記操作部ユニットが前記本体に取り付けられた状態で前記外装カバーを前記本体に装着すると、前記操作部側係合部と前記カバー側係合部が係合して、前記操作部ユニットのスライドが規制されても良い。
【００１３】
このような構成を採用することで、操作部側係合部をキーに設けるような場合と比較して、操作部側係合部の安定性を高めることが可能となり、操作部側係合部にカバー側係合部を確実に係合させることが可能となる。
【００１４】
本発明に係る操作部ユニットの取付構造は、前記キーには、操作部側係合部が設けられ、前記外装カバーには、前記操作部側係合部と対応する位置にカバー側係合部が設けられ、前記操作部ユニットが前記本体に取り付けられた状態で前記外装カバーを前記本体に装着すると、前記操作部側係合部と前記カバー側係合部が係合して、前記操作部ユニットのスライドが規制されても良い。
【００１５】
このような構成を採用することで、外装カバーに対してキーが直接位置決めされることになり、外装カバーに対するキーの位置精度を出しやすくなる。
【００１６】
本発明に係る操作部ユニットの取付構造は、前記キーは、前記操作部ユニットに複数個並設され、該複数個のキーのうちの両端のキーの周りに、前記操作部側係合部が設けられていても良い。
【００１７】
このような構成を採用することで、操作部ユニットと外装カバーの位置ずれを確実に防止することが可能となる。
【００１８】
本発明に係る操作部ユニットの取付構造は、前記外装カバーには、前記キーを遊挿可能なカバー側キー穴が設けられ、前記操作部ユニットには、前記キーを遊挿可能な操作部側キー穴が設けられ、前記カバー側キー穴に遊挿された前記キーの周囲の隙間よりも前記操作部側キー穴に遊挿された前記キーの周囲の隙間が広くなるように形成されていても良い。
【００１９】
このような構成を採用することにより、外装カバーとキーとの隙間が外側から目立ちにくくなり、外観の向上を図ることが可能となる。また、カバー側キー穴に遊挿されたキーの周囲の隙間よりも操作部側キー穴に遊挿されたキーの周囲の隙間を広くすることで、これらの隙間を同一とする場合と比較して、キーの動作不良等の不具合が生じにくくなる。
【００２０】
本発明に係る操作部ユニットの取付構造は、前記操作部ユニットは、前記本体に収納される電装部品と電線を介して接続され、該電線は、前記外装カバーによって覆われる位置に設けられていても良い。
【００２１】
このように、外装カバーによって電線を覆う構成とすることで、電線が外部から視認されるのを簡易な構成によって防止することが可能となり、外観の向上を図ることができる。一方で、このように外装カバーによって電線が覆われる場合には、外装カバーを本体に装着した後に配線処理を行うことが極めて困難になる。しかしながら、前記のように本発明は、配線処理を行ってから外装カバーを本体に装着するような組付け手順を採用することが可能であるから、外装カバーによって電線が覆われてしまっても差し支えない。
【００２２】
本発明に係る画像形成装置は、上記いずれかの操作部ユニットの取付構造を備えていることを特徴とする。
【発明の効果】
【００２３】
本発明によれば、キーのがたつきを抑制して操作感覚を向上させることが可能で、且つ、配線処理が容易で組み立て易い操作部ユニットの取付構造を提供することが可能となる。
【図面の簡単な説明】
【００２４】
【図１】本発明の一実施形態に係るプリンターの斜視図である。
【図２】本発明の一実施形態に係るプリンターにおいて、上カバーを取り外した状態を示す斜視図である。
【図３】本発明の一実施形態に係るプリンターにおいて、上カバーを示す斜視図である。
【図４】本発明の一実施形態に係るプリンターにおいて、上カバーの右前部付近を示す下側からの斜視図である。
【図５】本発明の一実施形態に係るプリンターにおいて、操作部ユニットを示す斜視図である。
【図６】図５のＡ−Ａ部分における上カバーと操作部ユニットの断面図である。
【図７】図５のＢ−Ｂ部分における上カバーと操作部ユニットの断面図である。
【図８】本発明の一実施形態に係るプリンターにおいて、操作部ユニットとフラットケーブルを示す斜視図である。
【図９】本発明の一実施形態に係るプリンターにおいて、操作部ユニットを取り付けた本体フレームを示す下側からの斜視図である。
【図１０】他の異なる実施形態に係るプリンターにおいて、上カバーと操作部ユニットを示す断面図である。
【発明を実施するための形態】
【００２５】
本発明の一実施形態に係る画像形成装置としてのプリンター１について、図１〜図９を参照しつつ説明する。図１は、本発明の一実施形態に係るプリンターの斜視図である。図２は、本発明の一実施形態に係るプリンターにおいて、上カバーを取り外した状態を示す斜視図である。図３は、本発明の一実施形態に係るプリンターにおいて、上カバーを示す斜視図である。図４は、本発明の一実施形態に係るプリンターにおいて、上カバーの右前部付近を示す下側からの斜視図である。図５は、本発明の一実施形態に係るプリンターにおいて、操作部ユニットを示す斜視図である。図６は、図５のＡ−Ａ部分における上カバーと操作部ユニットの断面図である。図７は、図５のＢ−Ｂ部分における上カバーと操作部ユニットの断面図である。図８は、本発明の一実施形態に係るプリンターにおいて、操作部ユニットとフラットケーブルを示す斜視図である。図９は、本発明の一実施形態に係るプリンターにおいて、操作部ユニットを取り付けた本体フレームを示す下側からの斜視図である。以下、説明の便宜上、図１における左下側をプリンター１の正面側（前側）とする。
【００２６】
図１に示されるように、プリンター１は、直方体形状のプリンター本体２を備えている。プリンター本体２の左右両面には、それぞれ左カバー３と右カバー４（以下、「左右カバー３、４」とする。）が装着され、プリンター本体２の上面には、外装カバーとしての上カバー６が装着されている。
【００２７】
左右カバー３、４の上縁部には、それぞれ差込片５（図２参照）が設けられている。そして、左右カバー３、４をプリンター本体２の左右両面に装着した状態で、上カバー６を上方からプリンター本体２に装着することで、左右カバー３、４の差込片５が上カバー６の下縁部の内側に差し込まれて、左右カバー３、４のプリンター本体２に対する着脱が規制されるようになっている。
【００２８】
上カバー６は、左右一対のビス（図示略）によってプリンター本体２の上部に取り付けられており、これにより、上カバー６のプリンター本体２に対する着脱が規制されている。
【００２９】
上カバー６の上面には、後下方に傾斜する排紙トレイ８が設けられ、排紙トレイ８の後方には排紙ユニット１０がプリンター本体２に設けられている。そして、プリンター本体２の内部でトナー像を転写及び定着された用紙が、排紙ユニット１０を介して排紙トレイ８上に排出されるように構成されている。
【００３０】
図３に最も良く示されるように、上カバー６には、排紙トレイ８の左右両側に突片１１が設けられている。右側の突片１１の上面の前部には、前後方向に長い挿通部１２が設けられ、挿通部１２には、３個のカバー側キー穴１３ａ〜１３ｃが上下方向に穿設されている。カバー側キー穴１３ａ〜１３ｃは、所定の間隔をおいて前後に並設されている。前端のカバー側キー穴１３ａと前後方向中央のカバー側キー穴１３ｂは、平面視円形状を成し、後端のカバー側キー穴１３ｃは、平面視矩形状を成している。図４に示されるように、挿通部１２の下面１４には、前端のカバー側キー穴１３ａの周囲にカバー側係合部としての円環状の嵌合突起１５ａが設けられ、前後方向中央のカバー側キー穴１３ｂの周囲に円環状の突起１５ｂが設けられ、後端のカバー側キー穴１３ｃの周囲にカバー側係合部としての方形枠状の嵌合突起１５ｃが設けられている。
【００３１】
図２に示されるように、プリンター本体２の右上端部の前部には、上カバー６の右側の突片１１に覆われる位置に、操作部ユニット１６が設けられている。図５〜図７に示されるように、操作部ユニット１６は、操作部フレーム１７と、操作部フレーム１７の下面を覆う基板１８と、操作部フレーム１７に装着される３個のキー２０ａ〜２０ｃと、を備えている。
【００３２】
図８に示されるように、操作部フレーム１７の右前端部と後部には、下方に向かってフック（操作部側取付部）２１ａ、２１ｂが設けられている。右前端部のフック２１ａは前側を向いており、後部のフック２１ｂは後側を向いている。図９に示されるように、各フック２１ａ、２１ｂは、プリンター本体２の一部を成す本体フレーム２２に設けられた係合穴２３ａ、２３ｂ（本体側取付部）に係合している。各係合穴２３ａ、２３ｂの前後幅及び左右幅は、各フック２１ａ、２１ｂの前後幅及び左右幅よりも大きく設定されている。
【００３３】
図５等に示されるように、操作部フレーム１７には、操作部側キー穴２４ａ〜２４ｃが上下方向に穿設されている。各操作部側キー穴２４ａ〜２４ｃは、所定の間隔をおいて前後に並設されている。前端の操作部側キー穴２４ａと前後方向中央の操作部側キー穴２４ｂは平面視円形状を成し、後端の操作部側キー穴２４ｃは平面視矩形状を成している。操作部フレーム１７の上面には、前端の操作部側キー穴２４ａの周囲に操作部側係合部としての円環状の嵌合突起２５ａが設けられ、後端の操作部側キー穴２４ｃの左右両側に操作部側係合部としての直線状の嵌合突起２５ｃが前後方向に設けられている。なお、前後方向中央の操作部側キー穴２４ｂの周囲には、嵌合突起が設けられていない。
【００３４】
図６に示されるように、基板１８の上面には、スイッチ２６ａ〜２６ｃが突設されている。スイッチ２６ａ〜２６ｃは、所定の間隔をおいて前後に並設されている。前端のスイッチ２６ａと前後方向中央のスイッチ２６ｂは、基板１８の左右方向略中央に設けられている。図７に示されるように、後端のスイッチ２６ｃは基板１８の左部に設けられており、後端のスイッチ２６ｃの右側には、基板１８の左右方向略中央にＬＥＤ２７が設けられている。
【００３５】
基板１８は、電線としてのフラットケーブル３０（図８参照）及びコネクター（図示せず）を介して、プリンター本体２に収納された電装部品（例えば、電源基板）と接続されている。フラットケーブル３０は、上カバー６によって覆われる位置に設けられている（図１、図２参照）。
【００３６】
各キー２０ａ〜２０ｃは、いずれも押ボタン型であり、所定の間隔をおいて前後に並設されている。前端のキーであるスタートキー２０ａは、例えば、メンテナンス後にプリンター１を再スタートする場合に用いられるものであり、平面視円形状を成している。前後方向中央のキーであるキャンセルキー２０ｂは、例えば、印刷を中止する場合に用いられるものであり、平面視円形状を成している。後端のキーである省エネモードキー２０ｃは、例えば、低速印刷（省エネ印刷）を行う場合に用いられるものであり、平面視矩形状を成している。本実施形態では、省エネモードキー２０ｃがＯＮになると、ＬＥＤ２７が点灯するように構成されている。
【００３７】
図６、図７に示されるように、各キー２０ａ〜２０ｃの下端部には脚３１ａ〜３１ｃが設けられており、各キー２０ａ〜２０ｃが押圧されると、脚３１ａ〜３１ｃが基板１８の上面に当接して、各キー２０ａ〜２０ｃが過度に押圧されるのを防止できるようになっている。各キー２０ａ〜２０ｃには、基板１８の各スイッチ２６ａ〜２６ｃと対応する位置に押圧部３２ａ〜３２ｃが設けられており、各キー２０ａ〜２０ｃが押圧されると、これに伴って押圧部３２ａ〜３２ｃが各スイッチ２６ａ〜２６ｃを押圧し、各スイッチ２６ａ〜２６ｃがＯＮするように構成されている。
【００３８】
各キー２０ａ〜２０ｃは、操作部フレーム１７の各操作部側キー穴２４ａ〜２４ｃに遊挿されており、これにより、嵌合突起２５ａがスタートキー２０ａの周囲に配置され、嵌合突起２５ｃが省エネモードキー２０ｃの左右両側に配置されている（図５等参照）。各キー２０ａ〜２０ｃは、上カバー６の各カバー側キー穴１３ａ〜１３ｃに遊挿されており、各カバー側キー穴１３ａ〜１３ｃを介して上カバー６の上面に露出している（図１参照）。これにより、上カバー６をプリンター本体２に装着した状態において、ユーザーが各キー２０ａ〜２０ｃを押圧操作することが可能となっている。本実施形態では、カバー側キー穴１３ａ〜１３ｃに遊挿された各キー２０ａ〜２０ｃの周囲の隙間（図６の矢印α参照）よりも操作部側キー穴２４ａ〜２４ｃに遊挿された各キー２０ａ〜２０ｃの周囲の隙間（図６の矢印β参照）が広くなるように設定されている。
【００３９】
上記の如く構成されたプリンター１の組立て手順の一例について説明する。
【００４０】
まず、図９に示されるように、フック２１ａ、２１ｂを係合穴２３ａ、２３ｂに係合させて操作部ユニット１６をプリンター本体２に取り付ける。前記のように、各係合穴２３ａ、２３ｂの前後幅及び左右幅は、各フック２１ａ、２１ｂの前後幅及び左右幅よりも大きく設定されているため、このようにフック２１ａ、２１ｂを係合穴２３ａ、２３ｂに係合させても、操作部ユニット１６はプリンター本体２に対して前後方向及び左右方向に一定の幅だけスライド可能であり、完全に位置決めされてない。つまり、操作部ユニット１６は、上カバー６のプリンター本体２への装着方向（本実施形態では上下方向）と交差する方向にスライド可能な状態で、プリンター本体２に取り付けられる。この状態で、操作部ユニット１６とプリンター本体２内の電装部品の結線等の配線処理を行う。
【００４１】
次に、上カバー６をプリンター本体２に上方から被せるように装着する。この装着に伴って、図６に示されるように、上カバー６の前端の嵌合突起１５ａが操作部ユニット１６の前端の嵌合突起２５ａの内側に嵌合する。また、図７に示されるように、上カバー６の後端の嵌合突起１５ｃが、操作部ユニット１６の後端の嵌合突起２５ｃの内側に嵌合する。この上カバー６の各嵌合突起１５ａ、１５ｃと操作部ユニット１６の各嵌合突起２５ａ、２５ｃの嵌合により、操作部ユニット１６の前後方向及び左右方向のスライドが規制され、操作部ユニット１６が固定される。これにより、操作部ユニット１６が位置決めされ、プリンター１の組み立てが完了する。
【００４２】
本実施形態では上記のように、操作部ユニット１６をプリンター本体２に取り付けてから上カバー６をプリンター本体２に装着することで、操作部ユニット１６とプリンター本体２内の電装部品の結線等の配線処理を行ってから上カバー６をプリンター本体２に装着することが可能となっている。そのため、上記の配線処理が上カバー６によって阻害されるのを防止することが可能となり、配線処理及び組立ての容易化を図ることが可能となる。
【００４３】
また、嵌合突起１５ａ、１５ｃと嵌合突起２５ａ、２５ｃの嵌合位置に応じて操作部ユニット１６が上カバー６に対して直接的に位置決めされるため、上カバー６に対する操作部ユニット１６の位置精度を向上させることが可能となる。これに伴って、キー２０ａ〜２０ｃのがたつきを抑制して操作感覚の向上を図ることが可能となる。
【００４４】
また、操作部ユニット１６とプリンター本体２内の電装部品の結線等の配線処理を行ってから上カバー６をプリンター本体２に装着することで、配線処理に必要とされるフラットケーブル３０等の電線の長さを最小限に止めることが可能となり、製造コストの低廉化を図ることが可能となる。
【００４５】
また、本実施形態では、操作部フレーム１７に操作部側係合部としての嵌合突起２５ａ、２５ｃを設けているため、操作部側係合部を各キー２０ａ〜２０ｃに設けるような場合と比較して、操作部側係合部の安定性を高めることが可能となる。そのため、操作部ユニット１６の嵌合突起２５ａ、２５ｃに上カバー６の嵌合突起１５ａ、１５ｃを確実に嵌合させることが可能となる。
【００４６】
また、本実施形態では、カバー側キー穴１３ａ〜１３ｃに遊挿された各キー２０ａ〜２０ｃの周囲の隙間よりも操作部側キー穴２４ａ〜２４ｃに遊挿された各キー２０ａ〜２０ｃの周囲の隙間が広くなるように形成されているため、上カバー６と各キー２０ａ〜２０ｃの隙間が外側から目立ちにくくなり、外観の向上を図ることが可能となる。また、カバー側キー穴１３ａ〜１３ｃに遊挿された各キー２０ａ〜２０ｃの周囲の隙間と操作部側キー穴２４ａ〜２４ｃに遊挿された各キー２０ａ〜２０ｃの周囲の隙間を同一とする場合と比較して、各キー２０ａ〜２０ｃの動作不良等の不具合が生じにくくなる。
【００４７】
また、本実施形態では、フラットケーブル３０が上カバー６によって覆われる位置に設けられているため、フラットケーブル３０が外部から視認されるのを簡易な構成によって防止することが可能となり、外観の向上を図ることができる。一方で、このように上カバー６によってフラットケーブル３０が覆われる場合には、上カバー６をプリンター本体２に装着した後に配線処理を行うことが極めて困難になる。しかしながら、前記のように本実施形態では、配線処理を行ってから上カバー６をプリンター本体２に装着するような組付け手順を採用しているから、上カバー６によってフラットケーブル３０が覆われてしまっても差し支えない。
【００４８】
また、本実施形態では、３個のキー２０ａ〜２０ｃのうちの前後両端のキー２０ａ、２０ｃの周りに、嵌合突起２５ａ、２５ｃが配置されている。このような構成を採用することにより、嵌合突起１５ａと嵌合突起２５ａの嵌合位置と嵌合突起１５ｃと嵌合突起２５ｃの嵌合位置を最大限離間させることが可能となり、操作部ユニット１６と上カバー６の位置ずれを確実に防止することが可能となる。
【００４９】
本実施形態では上記のように、操作部フレーム１７に操作部側係合部としての嵌合突起２５ａ、２５ｃを設ける場合について説明したが、他の異なる実施形態では、図１０に示されるように、スタートキー２０ａ等のキー自体に操作部側係合部としての嵌合突起３３を設けても良い。このような構成を採用することで、上カバー６に対してキーが直接位置決めされることになり、上カバー６に対するキーの位置精度を出しやすくなる。
【００５０】
本実施形態では、押圧操作される押ボタン型のキー２０ａ〜２０ｃを用いる場合について説明したが、他の異なる実施形態では、傾倒操作されるレバー型のキーや回転操作されるダイヤル型のキー等、他の異なるタイプのキーを用いても良い。
【００５１】
本実施形態では、スタートキー２０ａ、キャンセルキー２０ｂ、省エネモードキー２０ｃの３個を操作部ユニット１６に設ける場合について説明したが、他の異なる実施形態では、電子機器によって実現される機能に応じて、キーの数を増減させても良い。
【００５２】
本実施形態では、スタートキー２０ａ及びキャンセルキー２０ｂを平面視円形状とし、省エネモードキー２０ｃを平面視矩形状としたが、これらはキーの形状の一例であって、例えば、すべてのキーを平面視円形状としたり、すべてのキーを平面視矩形状等の多角形状としたりしても良い。
【００５３】
本実施形態では、上カバー６によって操作部ユニット１６を覆う場合について説明したが、他の異なる実施形態では、左右カバー３、４等の上カバー６以外の外装カバーによって操作部ユニット１６を覆っても良い。
【００５４】
本実施形態では、画像形成装置としてのプリンター１に本発明の構成を適用する場合について説明したが、他の異なる実施形態では、複写機、ファクシミリ、複合機等の他の異なる画像形成装置に本発明の構成を適用しても良い。また、例えばＤＶＤレコーダー等の画像形成装置以外の電子機器に本発明の構成を適用しても良い。
【符号の説明】
【００５５】
１  プリンター（画像形成装置）
２  本体
６  上カバー（外装カバー）
１３ａ〜１３ｃ  カバー側キー穴
１５ａ、１５ｃ  嵌合突起（カバー側係合部）
１６  操作部ユニット
１７  操作部フレーム
２０ａ〜２０ｃ  キー
２４ａ〜２４ｃ  操作部側キー穴
２５ａ、２５ｃ  嵌合突起（操作部側係合部）
３０  フラットケーブル（電線）
【図１】
0005544347.tif 000002
【図２】
0005544347.tif 000003
【図３】
0005544347.tif 000004
【図４】
0005544347.tif 000005
【図５】
0005544347.tif 000006
【図６】
0005544347.tif 000007
【図７】
0005544347.tif 000008
【図８】
0005544347.tif 000009
【図９】
0005544347.tif 000010
【図１０】
0005544347.tif 000011